(57)【要約】【課題】フレームサイズが大きな機種の回路遮断器にも、既存の計測ユニット，表示ユニットを共用でき、しかも計測ユニットに搭載する表示ユニットを簡単に着脱して取付方向が変更できるように改良した回路遮断器の通電情報計測表示装置を提供する。【解決手段】外部端子付きケースに通電計測手段を内蔵した計測ユニット２と、計測ユニット２の上に取付けて電路の計測情報をデジタル表示する表示ユニット３とのアセンブリになり、前記計測ユニット２を盤内に設置の回路遮断器１０に直結し、かつ表示ユニット３が正面を向くような方向に取付けて使用する回路遮断器の通電情報計測表示装置において、計測ユニット２に、回路遮断器１０のフレームサイズに対応して表示ユニット３の取付け高さを調整する着脱可能な底上げ台座５を組合せ、該底上げ台座５の上に搭載した表示ユニット３をスナップフィット結合して掛止固定する。【選択図】図１
2010257581.tif 000002
【特許請求の範囲】
【請求項１】
外部端子付きの箱形ケースに電路の通電計測手段を内蔵した計測ユニットと、該計測ユニットの上に取付けて計測ユニットで得た計測情報をデジタル表示する表示ユニットとのアセンブリになり、前記計測ユニットを盤内に設置の回路遮断器に直結し、かつ表示ユニットが正面を向くような方向に取付けて使用する回路遮断器の通電情報計測表示装置において、
前記計測ユニットのケースに、回路遮断器のフレームサイズに対応して表示ユニットの取付け高さを調整する底上げ台座を着脱可能に取付け、該底上げ台座の上に表示ユニットを掛止固定により載置したことを特徴とする回路遮断器の通電情報計測表示装置。
【請求項２】
請求項１に記載の通電情報計測表示装置において、底上げ台座が樹脂成形品になり、該底上げ台座の上に表示ユニットをスナップフィット結合により着脱可能に掛止固定したことを特徴とする回路遮断器の通電情報計測表示装置。
【請求項３】
請求項２に記載の通電情報計測表示装置において、表示ユニットのケースが正方形であり、該ケースの外周四辺の側壁には所定間隔を隔てて並ぶ一対の係合凹溝，および側壁の中央に位置するスナップフィット用の係合凹溝を形成するとともに、これら係合凹溝に対応して底上げ台座の側壁の片側には一対の係合爪，および該係合爪と向かい合う反対側の側壁には片持ち梁形のスナップフィットを形成し、この底上げ台座の上に取付け方向を指定して載置した表示ユニットをスナップフィット結合して所定位置に掛止固定したことを特徴とする回路遮断器の通電情報計測表示装置。
【請求項４】
請求項３に記載の通電情報計測表示装置において、スナップフィットの側方に並べて、底上げ台座の側壁には底上げ台座上に載置した表示ユニットを掛止位置に制止してスナップフィット結合の不測な解除を阻止する歯止め用突起片を設けたことを特徴とする回路遮断器の通電情報計測表示装置。
【発明の詳細な説明】
【技術分野】
【０００１】
この発明は、配電盤，分電盤などの盤内に設置して主幹，分岐配電路に接続した配線用遮断器（オートブレーカ），漏電遮断器と組合せてその電路の通電情報を計測，表示する回路遮断器の通電情報計測表示装置に関する。
【背景技術】
【０００２】
電力系統からの受電電力を所内の電気設備に給電する配電盤，分電盤では、盤内の主幹，分岐電路のブスバーに接続した回路遮断器（オートブレーカ，漏電遮断器）を介して電動機などの各種負荷に給電するようにしている。また、前記の主幹，分岐電路ごとにその通電情報（電圧，電流，電力などの現在値，デマンド値）を表示するために、盤内に設置した回路遮断器のケース上に搭載して該回路遮断器から取り込んだ電気信号を基に、配電路の線間電圧，負荷電流，電力量などの現在値，デマンド値の通電情報をデジタル表示するようにした通電情報の表示装置が知られている（例えば、特許文献１参照）。
この表示装置は、回路遮断器のケースに取付けた専用の取付板を介して表示装置を搭載し、回路遮断器に内蔵したＣＴ（Current Transformer），ＶＴ（Voltage Transformer）の計測センサーで検出した電気信号を基に、配電路の通電情報（電圧，電流，電力など）を表示装置の表示パネルに数字，文字でデジタル表示する。また、この表示装置は盤内に設置した回路遮断器の配置姿勢（正面，右横向き，左横向き）に制約されることなく、表示情報を正面から読み取れるようにするために、前記取付板の上で表示装置の取付け方向を回路遮断器の配置姿勢に応じて縦向き，横向きに変更できるようにしている。
【０００３】
一方、前記構成の通電情報表示装置とは別に、回路遮断器から独立した計測ユニットと、該計測ユニットのケース表面に取付けた表示ユニットとを組合せたアセンブリで構成し、前記計測ユニットを回路遮断器に直結して使用する回路遮断器の通電情報計測表示装置が知られている（例えば、特許文献２、非特許文献１参照）。
次に、前記の非特許文献１に紹介されている製品を例に、回路遮断器に直結して使用する計測表示装置の構成を図６〜図１０で説明する。各図において、１は回路遮断器、２は回路遮断器１の負荷側端子に直結した計測表示装置の計測ユニット２は計測ユニット２の上に搭載した表示ユニットである。ここで、計測ユニット２はモールド樹脂からなる箱形のケース２ａに各相の電路に対応するバー導体，ＣＴ，ＶＴの計測センサー、および計測データを外部に送信する送信回路などを内装し、ケース２ａの前後端には電源側，負荷側の外部端子を備えた構成になる。一方、表示ユニット３はモールド樹脂ケースからなる正方形の箱型ケース３ａにデジタル表示器３ｂ，および操作部３ｃを備えた構成になり、計測ユニット２との間を信号ケーブルで相互接続した上で、次記のように取付け方向を指定して計測ユニット２のケース２ａの表面に掛止固定する。
【０００４】
すなわち、表示ユニット３の箱形ケース３ａについては、その周囲四辺の側壁に所定の間隔を隔てて横に並ぶ一対の係合凹溝３ａ−１，および一辺の側壁中央に位置する係合凹溝３ａ−２が形成されている。一方、計測ユニット２のケース２ａの表面には、表示ユニット３を左右両側から挟んでその片側（右側サイド）に前記係合凹溝３ａ−１に対応する一対の突起状の係合爪２ｂが前後に形成され、これと反対側の左側サイドには係合凹溝３ａ−２に対応する掛止固定金具４が固定ネジ４ａを介してネジ止めされている。
上記の計測表示装置を盤内に配した回路遮断器１に組み付けるには、先ず計測ユニット２のバー導体からなる電源側端子を回路遮断器１の負荷側端子に接続して両者の間を直結する。次に、表示ユニット３のデジタル表示器３ｂが正しく正面を向くように取付け方向を指定した上で、図１０に示す組み付け手順により、最初に表示ユニット３のケース側壁に形成した一対の係合凹溝３ａ−１を計測ユニット２のケース上面に形成した突起状の係合爪２ｂに嵌め合わせて位置決めする。次に反対側の側壁中央に形成した係合凹溝３ａ−２に掛止固定金具４を側方から差し込み、この状態で固定ネジ４ａをネジ締めして表示ユニット３を掛止固定する。なお、図１０において、６は信号ケーブル、６ａはケーブルコネクタである。
【０００５】
また、図１１（ａ），（ｂ），（ｃ）は、それぞれ盤内で正面（縦向き），右横向き，左横向きに設置した回路遮断器１に対して、表示ユニット３のデジタル表示器３ｂ，操作部３ｃが正しく正面を向くよう取付け方向を指定して、計測ユニット２に取付けた状態を表している。
上記のように、通電情報の計測表示装置を、回路遮断器１の負荷側端子に直結する計測ユニット２と、計測ユニット２のケース表面に載置して掛止固定する表示ユニット３との二つの独立ユニットに分けてアセンブリを構成することにより、表示ユニット３を共通部品として仕様，フレームサイズが異なる各機種の計測ユニット２に適用することができる。また、ユーザー側で回路遮断器を定格変更する場合でも、同じフレームサイズであれば回路遮断器１を交換するだけで簡単に対応できる。さらに、表示ユニット３を単独で別置のパネルなどに取付けて使用する（延長ケーブルを使用して計測ユニット２と表示ユニット３の間を接続する）ことも可能となるなど、先記の特許文献１のように計測表示装置を回路遮断器のケースに直接搭載して使用する構成と比べて高い汎用性，利便性が得られる。
【０００６】
ここで、非特許文献１の製品カタログに紹介されている計測表示装置の製品仕様では、表示ユニット３はその一辺の長さＬ（図８参照）が８０mmである。また、回路遮断器１，および表示ユニット３を載置する計測ユニット２は、ＡＦ（アンペアフレーム：Ampere  Frame）に応じてフレームのサイズが異なるが、例えば１００ＡＦ，２２５ＡＦクラスの回路遮断器に適用する計測表示装置では、計測ユニット２のケース高さｈを回路遮断器１のケース高さＨに合わせて５６mmとしている（ｈ＝Ｈ）。なお、計測ユニット単体のケース横幅は１０５mm，長さは１００mmである。
この１００ＡＦ，２２５ＡＦクラスの回路遮断器１に直結した計測ユニット２に表示ユニット３を取付けた組立状態では（図７，図８参照）、前記した外形サイズの関係から、図示のように表示ユニット３のケース一部が計測ユニット２の端部（電源側）から若干はみ出して回路遮断器１のケース（負荷側端子部）の上に覆い重なるようになる。
【先行技術文献】
【特許文献】
【０００７】
【特許文献１】特開２０００−７４９２５号公報
【特許文献２】特開２００５−３００３６４号公報
【非特許文献】
【０００８】
【非特許文献１】“計測表示機能付きオートブレーカ・漏電遮断器”［online］富士電機機器制御（株）  オンライン製品カタログ［２００９年４月１５日検索］、インターネット、＜ＵＲＬ： HYPERLINK "http://www.fujielectric.co.jp/fcs/jp/edc/catalog2/EH210/EH210f.pdf" http://www.fujielectric.co.jp/fcs/jp/edc/catalog2/EH210/EH210f.pdf＞
【発明の概要】
【発明が解決しようとする課題】
【０００９】
ところで、前記した既存製品の計測表示装置では、回路遮断器のフレームサイズとの整合性，および表示ユニットの着脱操作性の面で次記のような問題点がある。すなわち、
（１）現在、市場に展開している製品（例えば、１００ＡＦ，２２５ＡＦクラス）では、先記のように計測ユニット２の外形サイズを回路遮断器１のフレームサイズに合わせてその高さを５６mmとしているが、最近になり開発された新機種の回路遮断器は、その内部機構の改造，変更により同じＡＦ（例えば、１００ＡＦ，２２５ＡＦクラス）のシリーズでもそのフレームサイズ、特にケースの高さは旧機種の製品よりも若干増えてその外形高さ寸法が大きくなっている。
そのために、回路遮断器１を新機種の回路遮断器に替えて既存の計測ユニット２を直結すると、計測ユニット２のケース上面と回路遮断器１のケース（負荷側端子部）との間に高低段差が生じ、このままでは前記段差が障害となって計測ユニット２のケースに取付ける表示ユニット３を掛止固定することができない。この点については、計測ユニット２の外形サイズを新機種の回路遮断器のフレームサイズに合わせて新たに設計，製作することも考えられるが、新，旧機種の回路遮断器のフレームサイズに合わせて計測ユニットを２機種用意することはコスト増加の要因となるので得策ではない。
（２）そのほか、計測ユニット２のケース上に表示ユニット３を載置して掛止固定するには、先記した掛止固定金具４（図１０参照）を表示ユニット３の係合凹溝３ａ−２に差し込んで固定ネジ４ａをネジ締めする操作が必要でその作業に手間がかかる。また、計測ユニット２から表示ユニット３を取り外す場合にも固定ネジ４ａを弛めるネジ操作が必要であることから、その組立性の改善が求められている。
【００１０】
この発明は上記の点に鑑みなされたものであり、その目的はフレームサイズが大きな機種の回路遮断器にも、既存の計測ユニット，表示ユニットを共用でき、しかも計測ユニットに搭載する表示ユニットを簡単な操作で着脱してその取付方向を回路遮断器の設置方向に対応して変更できるように取付構造を改良した回路遮断器の通電情報計測表示装置を提供することにある。
【課題を解決するための手段】
【００１１】
上記目的を達成するために、この発明によれば、外部端子付きの箱形ケースに電路の通電計測手段を内蔵した計測ユニットと、該計測ユニットの上に取付けて計測ユニットで得た計測情報をデジタル表示する表示ユニットとのアセンブリになり、前記計測ユニットを盤内に設置の回路遮断器に直結し、かつ表示ユニットが正面を向くような方向に取付けて使用する回路遮断器の通電情報計測表示装置において、
前記計測ユニットのケースに、回路遮断器のフレームサイズに対応して表示ユニットの取付け高さを調整する底上げ台座を着脱可能に取付け、該底上げ台座の上に表示ユニットを掛止固定して載置するものとし(請求項1)、その取付け構造は具体的には次記のような態様で構成することができる。
（１）前記構成において、底上げ台座が樹脂成形品になり、該底上げ台座の上に示ユニットをスナップフィット結合により着脱可能に掛止固定する（請求項２）。
（２）前項（１）において、表示ユニットのケースが正方形であり、該ケースの外周四辺の側壁には所定間隔を隔てて並ぶ一対の係合凹溝，および中央に位置するスナップフィット用の係合凹溝を形成するとともに、これら係合凹溝に対応して底上げ台座の側壁の片側には一対の係合爪，該係合爪と向かい合う反対側の側壁には片持ち梁形のスナップフィットを形成し、この底上げ台座の上に取付け方向を指定して載置した表示ユニットをスナップフィット結合して所定位置に掛止固定する（請求項３）。
（３）前項（２）において、前記スナップフィットの側方に並べて、底上げ台座の側壁には底上げ台座上に載置した表示ユニットを掛止位置に制止してスナップフィット結合の不測な解除を阻止する歯止め用突起片を設ける（請求項４）。
【発明の効果】
【００１２】
上記のように既存製品の計測ユニットに着脱可能な底上げ台座を追加装備し、この底上げ台座の上に表示ユニットを載置することにより、先記のように回路遮断器と計測ユニットとの間の高低段差に起因する不具合を解消して、既存の計測ユニットに表示ユニットを載置して使用することができる。なお、当然のことながら、底上げ台座を取り外すことで旧機種の回路遮断器にも使用でき、これにより既存製品の計測ユニット，表示ユニットをフレームサイズの異なる新，旧機種の回路遮断器に共用できる。
また、底上げ台座の上に載置した表示ユニットを底上げ台座にスナップフィット結合する取付構造を採用したことで、面倒な取付金具の挿入，ネジ締め操作の必要なしに、簡単な嵌め込み操作だけで表示ユニットを底上げ台座に掛止固定することができる。さらに、底上げ台座の側壁にスナップフィットと並べて表示ユニットを掛止位置に制止保持する歯止め用の突起片を設けることにより、表示ユニットに横向きの外力が加わっても不測にスナップフィットが撓んで掛止結合が外れたり、スナップフィット自身が折損する不具合を防止できる。
【図面の簡単な説明】
【００１３】
【図１】この発明の実施例による計測表示装置の構成図で、回路遮断器に直結した計測ユニットの上に表示ユニットを取付ける以前の状態を表す俯瞰図である。
【図２】図１における計測ユニットの上に表示ユニットを載置して掛止固定した組立状態を表す俯瞰図である。
【図３】図２の側面図である。
【図４】図３における計測ユニットと表示ユニットの取付け構造を表す模式断面図である。
【図５】図１における底上げ台座の詳細構造図であり、（ａ）は外形斜視図、（ｂ），（ｃ）はそれぞれ（ａ）の矢視Ａ−Ａ，Ｂ−Ｂ断面図である。
【図６】既存の計測表示装置の構成図で、回路遮断器に直結した計測ユニットに表示ユニットを取付ける以前の状態を表す俯瞰図である。
【図７】図６における計測ユニットの上に表示ユニットを載置して掛止固定した組立状態を表す俯瞰図である。
【図８】図７の側面図である。
【図９】図８における計測ユニットと表示ユニットの取付け構造を表す模式断面図である。
【図１０】図９における計測ユニットの上に表示ユニットを掛止固定する組立手順の説明図である。
【図１１】盤内に設置の回路遮断器に計測表示装置を組み付けた実使用の状態を表す正面図であり、（ａ），（ｂ），（ｃ）はそれぞれ回路遮断器の設置の向きが縦向き，右横向き，左横向きの状態を表す図である。
【発明を実施するための形態】
【００１４】
以下、この発明の実施の形態を図１〜図５に示す実施例に基づいて説明する。なお、実施例の各図において、図６〜図９に対応する部材には同じ符号を付してその説明は省略する。
この実施例は、図６〜図９で述べた既存製品の計測表示装置を先記した新機種の回路遮断器に付設して共用できるようにしたもので、その計測ユニット２のケース上面には表示ユニット３を指定の向きに載置して掛止固定するための底上げ台座５が新たに追加装備されている。
すなわち、図３で示すように、底上げ台座５は新機種の回路遮断器１０のケース高さＨ１（図８に示した旧機種の回路遮断器１のケース高さＨよりも８mmだけ高くなっている）と既存の計測ユニット２のケース高さｈとの間の高低段差Δｈを補償し、計測ユニット２を回路遮断器１に直結した状態で底上げ台座５の上面と回路遮断器１のケース端部の上面とが同じ高さレベルで並ぶような高さ寸法に設計されている。
【００１５】
また、この底上げ台座５は樹脂成形品になり、図５で示すように左サイドの側壁には表示ユニット３の外周各辺の側壁に形成した一対の係合凹溝３ａ−１（図１，図６参照）に対応する突起状の係合爪５ａ、および計測ユニット２の上面左側サイドに設けた掛止固定金具４に対応するネジ座５ｂが形成されている。一方、底上げ台座５の右サイドの側壁には表示ユニット３の側壁の中央位置に形成した係合凹溝３ａ−２に係合して表示ユニット２をスナップフィット結合する片持ち梁形のスナップフィット５ｃ、該スナップフィット５ｃを挟んでその両側から上方に突き出した一対の歯止め用突起片５ｄ、および計測ユニット２の上面右サイドに形成した突起状の係合爪２ｂ（図６参照）に対応する一対の係合凹溝５ｅが形成されている。なお、５ｆは底上げ台座５の底壁に開口して計測ユニット２と表示ユニット３との間を接続する信号ケーブルを通すための窓穴である。
【００１６】
上記の構成で、底上げ台座５を計測ユニット２に取付けるには、図１０で述べたと同様な手順で最初に底上げ台座５の側壁に形成した一対の係合凹溝５ｅを計測ユニット２のケース上面に形成した突起状の係合爪２ｂに嵌め合わせて位置決めする。次いで、反対側の側壁中央に形成したネジ座５ｂに通した固定ネジ４ａを計測ユニット２にネジ締めして底上げ台座５を固定する。また、表示ユニット３を底上げ台座５の上に載置して掛止固定するには、先ず表示ユニット３の取付け方向を指定した上で、その左サイドの側壁に形成されている一対の係合凹溝３ａ−１を底上げ台座５の係合突起５ａに嵌め合わせながら表示ユニット３に上方から力を加えて押し込む。これにより、右サイド側壁の係合凹溝３ａ−２に片持ち梁形のスナップフィット５ｃが嵌まり込んでこの位置に掛止固定される。
また、同時に表示ユニット３のケース３ａが底上げ台座５の右サイドの側壁に形成した歯止め用突起片５ｄの内側に嵌まり込む。この歯止め用突起片５ｄは、底上げ台座５に掛止固定した表示ユニット３が横向き（右方向）にずれ動くのを制止するストッパの役目を果たすものである。これにより、表示ユニットに横向き（右方向）の外力が加わった場合でも、スナップフィット５ｃが側方に撓んでスナップフィット結合が外れたり、スナップフィット自身が折損するのを防ぐことができる。
【００１７】
なお、表示ユニット３を取り外す場合には、底上げ台座５に設けたスナップフィット５ｃと表示ユニット２のケース側壁との間にドライバーなどの工具をこじ入れてスナップフィット５ｃを外側に撓ませて係合凹溝３ａ−２との結合を解除し、この状態で表示ユニット３を底上げ台座５から取り外す。
上記説明から判るように、既存の計測表示装置を先記した新機種の回路遮断器に付設して使用する場合に、あらかじめ計測ユニット２のケース上面に底上げ台座５を取付けた状態で計測ユニット２を回路遮断器１０に直結すると、図３で表すように計測ユニット２のケース上面に取付けた底上げ台座５の上面と回路遮断器１０の負荷側端部の上面とが同じ高さレベルに並ぶことになる。これにより、回路遮断器１０のケース高さＨ１と計測ユニット２のケース高さｈとの間の高低段差Δｈに阻害されることなく、表示ユニット３を計測ユニット２に所定位置に掛止装着して使用することができる。また、図１１のように盤内に設置した回路遮断器の向きに対応して表示ユニット３の向きを変更する場合でも、面倒なネジ操作を要さずに着脱して取付け方向を簡単に変更できる。なお、この計測表示装置を図８に示した旧機種の回路遮断器１に適用する場合には、計測ユニット２から底上げ台座５を取り外すことでそのまま対応できる。
【００１８】
つまり、既存の計測ユニット２，表示ユニット３を共用部品として、これに簡易な底上げ台座５をオプション品として組合せることにより、ユーザーは既存の計測ユニット，表示ユニットを使用して新機種の回路遮断器にも共用することが可能となる。また、メーカーでも新たに開発した回路遮断器のフレームサイズに合わせて設計した簡単な構造の底上げ台座をオプション品として用意するだけで、既存製品の計測ユニット，表示ユニットをそのまま共用部品として、新，旧機種の回路遮断器に適用可能な計測表示装置をユーザーに提供できる。
【符号の説明】
【００１９】
１    回路遮断器（旧機種）
２    計測ユニット
２ａ  ケース
２ｂ  係合爪
３    表示ユニット
３ａ  ケース
３ａ−１，３ａ−２  係合凹溝
４ａ  固定ネジ
５    底上げ台座
５ａ  掛止爪
５ｂ  ネジ座
５ｃ  スナップフィット
５ｄ  歯止め用突起片
５ｅ  係合凹溝
【図１】
2010257581.tif 000003
【図２】
2010257581.tif 000004
【図３】
2010257581.tif 000005
【図４】
2010257581.tif 000006
【図５】
2010257581.tif 000007
【図６】
2010257581.tif 000008
【図７】
2010257581.tif 000009
【図８】
2010257581.tif 000010
【図９】
2010257581.tif 000011
【図１０】
2010257581.tif 000012
【図１１】
2010257581.tif 000013